(57)【特許請求の範囲】
【請求項１】
光ファイバを巻き付ける円弧状のガイド面と、
前記ガイド面の上下に連結し互いに平行で天板部および底板部とを備えた光ファイバ用の余長処理部材であって、
前記ガイド面よりも内周側の前記底板部の、この底板部の面に対して窪む逃げ部に、他の部材と係止可能な係止部を備えることを特徴とする、光ファイバ用の余長処理部材。
【請求項２】
前記係止部の下面と前記底板部の下面とが同一レベルの面上に形成されていることを特徴とする、請求項１に記載の光ファイバ用の余長処理部材。
【請求項３】
前記ガイド面よりも内周側に他の余長処理部材と連結可能な連結部を備えることを特徴とする、請求項１または２に記載の光ファイバ用の余長処理部材。
【請求項４】
前記底板部を扇状に形成し、その軸側に他の部材に挿入可能な突起部を備えることを特徴とする、請求項３に記載の光ファイバ用の余長処理部材。
【請求項５】
請求項１〜４の何れかに記載の余長処理部材が複数連結してなる光ファイバリール。
【発明の詳細な説明】
【技術分野】
【０００１】
本発明は、光ファイバの余長を処理するための余長処理部材の構造に関する。また、本発明は、複数の余長処理部材を連結してなる分割型の光ファイバリールに関する。
【背景技術】
【０００２】
従来、光ファイバを規定半径以上に巻き付けて、その余長分を処理するための光ファイバリールが知られている。例えば特許文献１には、それぞれ単独でも光ファイバの余長処理に使用可能なガイド部材を連結し、サークル状のリールを形成可能とする分割型の余長処理構造が開示されている。
【０００３】
この種の光ファイバリールは、通常、光接続箱内の平坦なベースプレートに取り付けられる。例えば、特許文献１に記載の光ファイバリールは、それぞれのガイド部材（本発明の余長処理部材に相当）の底板部に弾性変形可能な嵌合部が形成され、ベースプレートの表面に加工したエンボスに嵌合部を嵌合させることで、ガイド部材がベースに着脱可能に固定される構造となっている。
【先行技術文献】
【特許文献】
【０００４】
【特許文献１】特許３９７０１６５号公報
【発明の概要】
【発明が解決しようとする課題】
【０００５】
ところで、特許文献１の光ファイバリールにおいては、光ファイバが巻かれるガイドスペース（内壁部と外壁部とで挟まれたスペース）の底に嵌合部が形成されている。つまり、嵌合部がガイドスペースを圧迫し、構造上、光ファイバを収納する空間を広く確保することが困難であった。また、複数のガイド部材を連結したリール本体をベースプレートから取り外すときや、段積みしたリールを分離する際に外壁等が邪魔になり、嵌合部のロックを解除する作業が困難でもあった。
【０００６】
そこで、本発明は、光ファイバを収納する空間を広く確保することができる等の光ファイバ用の余長処理部材を提供することを目的としている。
【課題を解決するための手段】
【０００７】
上記課題を解決するためになされた本発明は、光ファイバを巻き付ける円弧状のガイド面と、前記ガイド面の上下に連結し互いに平行で天板部および底板部とを備えた光ファイバ用の余長処理部材であって、前記ガイド面よりも内周側の前記底板部の、この底板部の面に対して窪む逃げ部に、他の部材と係止可能な係止部を備えることを特徴とする、光ファイバ用の余長処理部材である。
【０００８】
この構成の余長処理部材によれば、他の部材と係止可能な係止部をガイド面よりも内周側に設けたので、係止部が光ファイバを収納する空間を圧迫せず、その空間を広く確保することができる。
【０００９】
また、前記係止部が前記底板部の面に対して窪む逃げ部に備えられているので、他の部材（例えば段積みされる他の余長処理部材やベースプレートを含む）の被係止部を逃げ部に収容でき、他の部材との干渉を防ぐことができる。
【００１０】
また、余長処理部材は、前記係止部の下面と前記底板部の下面とが同一レベルの面上に形成されていることが好ましい。
【００１１】
これにより、例えば、平板状の他の部材の取付け面から突出する被係止部（エンボス部）を逃げ部に収容させて浮き上がりを防止するとともに、ベースプレートの裏面では係止部を被係止部（例えばエンボス部）から突出させない構造とすることができる。したがって、平板状の他の部材（ベースプレートや他の余長処理部材を含む）に余長処理部材を直接取り付けることが可能となる。
【００１２】
また、余長処理部材は、前記ガイド面よりも内周側に他の余長処理部材と連結可能な連結部を備えることが好ましい。
【００１３】
この構成の余長処理部材によれば、他の余長処理部材と連結可能な連結部をガイド面よりも内周側に設けたので、連結部が光ファイバを収納する空間を圧迫せず、その空間を広く確保することができる。
【００１４】
また、余長処理部材は、前記扇状の底板部の軸側に他の部材に挿入可能な突起部を備えることが好ましい。これにより、余長処理部材を他の部材に設置する際の位置決めを容易にすることができる。
【００１５】
また、本発明は、上記構成の余長処理部材が複数連結してなる光ファイバリールである。
【００１６】
この構成の光ファイバリールによれば、光ファイバを収納する空間を広く確保することができる。
【発明の効果】
【００１７】
本発明に係る光ファイバ用の余長処理部材によれば、光ファイバを収納する空間を広く確保することができる。また、他の部材への着脱や段積の操作を容易にすることができる。
【図面の簡単な説明】
【００１８】
【図１】本発明の一実施形態による余長処理部材を外周側上方から見た斜視図である。
【図２】図１の余長処理部材を軸側上方から見た斜視図である。
【図３】図１の余長処理部材を外周側下方から見た斜視図である。
【図４】図１の余長処理部材を周方向側下方から見た斜視図である。
【図５】図１の余長処理部材を複数連結して形成した光ファイバリールの斜視図である。
【図６】（ａ）は、図５のベースプレートに搭載した光ファイバリールを上方から見た斜視図である。（ｂ）は、ベースプレートに搭載した光ファイバリールを下方から見た斜視図である。
【図７】段積みした余長処理部材を下方から見た斜視図である。
【図８】図７の余長処理部材の係止部を拡大して示す斜視図である。
【図９】段積みしロック位置にある余長処理部材を下方から見た斜視図である。
【図１０】図６の余長処理部材の係止部を拡大して示す斜視図である。
【図１１】段積みした光ファイバリールを下方から見た斜視図である。
【発明を実施するための形態】
【００１９】
以下、本発明に係る光ファイバ用の余長処理部材の構造を、図面を参照して詳細に説明する。なお、本明細書において、「光ファイバ」とは、光ファイバ、光ケーブル、光コード等といった光信号を伝送する光線材一般を意味している。また、本発明に係る余長処理部材は、サークル状に連結した光ファイバリールの態様で使用されるものに限定されない。例えば、単体若しくは複数連結した余長処理部材をベースプレートに固定し円弧状のガイド面で光ファイバの配線方向を変えるような、余長処理以外の配線に用いられるものでもよい。また、光ファイバの他、ＬＡＮケーブル等の他のケーブル類を巻きつけるものであっても良い。
【００２０】
（主要部の説明）
図１は、本発明の一実施形態による余長処理部材１０を、その外周側上方から見た斜視図である。また、図２は、軸側上方から見た余長処理部材１０の斜視図である。本実施形態の余長処理部材１０は、平面視において、概ね四半円（１／４円）の扇状を有している。そして、余長処理部材１０を４個、周方向に連結することで、１つのサークル状の光ファイバリール１を形成することができる（図５参照）。ここで、単体の余長処理部材１０において「軸」というときには、サークル状の光ファイバリール１を形成したときの中心軸、つまり扇の要の位置を貫く直線を意味する。また、余長処理部材１０において「中心軸側」とは、この軸に向かう径方向における内周側を意味する。また、「外側」とは、特に断りがない限り、軸を起点にした径方向における外周側を意味する。なお、本明細書において「上下」というときには、絶対的な意味でなく、単に相対的な位置関係を意味しているに過ぎない。
【００２１】
余長処理部材１０は、光ファイバを巻き付けて案内する円弧状のガイド面１０１ａを備えている。また、それぞれ概ね扇状の板状部である天板部１１０および底板部１２０が、外面にガイド面１０１ａを有する円弧状胴部１０１の上下に連結して、互いに平行に設けられている。天板部１１０および底板部１２０の径方向幅寸法は、概ね一致している。
すなわち、ガイド面１０１ａの外側であって、天板部１１０および底板部１２０により上下に挟まれる空間が、光ファイバを巻き付けて収納するための収納空間（ガイドスペース）となっている。
【００２２】
（光ファイバガイド部の説明）
図１に示すように、天板部１１０の外周部であって、その周方向の両端部には、下方に向けて突出する上ガイド部１１１、１１１が形成されている。また、底板部１２０の外周部であって、その周方向中央部には、下ガイド部１２１が上方に向けて突出して形成されている。上ガイド部１１１および下ガイド部１２１は、ガイド面１０１ａに巻き付けた光ファイバを、そのガイドスペースからはみ出ないように保持する機能を有している。また、詳細は後述するが、下ガイド部１２１は、底板部１２０の外周部に設けられるロック解除レバー１３２の操作部も兼ねている。ここで、ロック解除レバー１３２が配置される「外周部」とは、底板部１２０の外周端や外周端付近であって外側から操作可能な部位をいう。
【００２３】
本実施形態の余長処理部材１０は、光ファイバを収納するガイドスペースの外側を画す上ガイド部１１１および下ガイド部１２１が、互いに対向しないように、天板部１１０および底板部１２０の周方向において互いに異なる位置にずらして交互に設けられている。
【００２４】
このように、上ガイド部１１１および下ガイド部１２１を周方向において互いに異なる位置にずらして交互に設けたことにより、これらが互いに対向する従来の構造に比較して、光ファイバを出し入れする間隙をより広く確保することができる。したがって、余長処理部材１０への光ファイバの巻き付けや、取り外す等の作業を容易にすることができる。
【００２５】
（連結部の説明）
余長処理部材１０において、図２に示すように、円弧状胴部１０１の両端部には、他の余長処理部材１０と連結するための第一連結部１０２および第二連結部１０３が形成されている。
【００２６】
第一連結部１０２は、円弧状胴部１０１の一方の端部（図２においては左端部）において上下方向に長いＬ字状の溝であるＬ字状被係合部１０２ａを備えている。一方、第二連結部１０３は、円弧状胴部１０１の他の端部（図２においては右端部）から突出し、Ｌ字状の断面で上下方向に伸びるＬ字状係合部１０３ａを備えている。一方の余長処理部材１０のＬ字状係合部１０３ａを、他方の余長処理部材１０のＬ字状被係合部１０２ａに挿入して摺動させることで、双方の余長処理部材１０を連結させることができる。
【００２７】
すなわち、第一連結部１０２と第二連結部１０３とにより、２つの余長処理部材１０を連結する連結手段が構成されている。
【００２８】
本実施形態のように、第一連結部１０２と第二連結部１０３とからなる連結手段は、円弧状胴部１０１のガイド面１０１ａよりも、内周側（中心軸側）に設けられていることが好ましい。こうすることにより、余長処理部材１０を例えば単体で使用するときに、ガイド面１０１ａに巻かれた光ファイバの引っ掛け等、不用意な損傷の危険性を減らすことができる。
【００２９】
また、余長処理部材１０の底板部１２０の端部において、第一連結部１０２よりも中心軸側に若干離間する位置には、垂直の舌片状部である摺動規制孔部１２２が形成されている。摺動規制孔部１２２は、Ｕ字状のスリット孔である規制孔１２３と、規制孔１２３の更に中心軸側の板状部上端に凹状に窪む規制溝１２４とを備えている。
【００３０】
摺動規制孔部１２２は、第一連結部１０２から中心軸側に離間して独立して立設する薄板部であり、底板部１２０を起点にして周方向に若干倒れるように弾性変形可能である。
【００３１】
一方、底板部１２０の他の端部においては、第二連結部１０３よりも中心軸側に若干離間する位置に、同じく垂直の舌片状部である摺動規制突起部１２５が形成されている。摺動規制突起部１２５は、底板部１２０から略同じ高さで径方向に並設される第一突起部１２６と第二突起部１２７とを備えている。
【００３２】
摺動規制突起部１２５は、第二連結部１０３（Ｌ字状係合部１０３ａ）から中心軸側に離間して独立して立設する薄板部であり、摺動規制孔部１２２と同様に、周方向に若干倒れるように弾性変形可能となっている。
【００３３】
２つの余長処理部材１０が、第一連結部１０２および第二連結部１０３で連結される規定の連結位置では、一方の余長処理部材１０の摺動規制突起部１２５が、他方の余長処理部材１０の摺動規制孔部１２２に係合して摺動位置が固定される。すなわち、規定の連結位置では、一方の余長処理部材１０の第一突起部１２６が、他方の余長処理部材１０の規制孔１２３に嵌り込んでその孔上端に当接し、同時に、一方の第二突起部１２７が他方の規制溝１２４の溝下端に当接する。これにより、第一連結部１０２および第二連結部１０３の摺動が規制され、２つの余長処理部材１０の連結状態がロックされる。
【００３４】
このように、摺動規制孔部１２２と摺動規制突起部１２５とにより、２つの余長処理部材１０の連結状態をロックする連結ロック手段が構成されている。
【００３５】
上述したように摺動規制孔部１２２および摺動規制突起部１２５は、それぞれ周方向に倒れるように弾性変形可能であるため、例えば摺動規制突起部１２５を備える側の余長処理部材１０を若干の外力を加え持ち上げることで、双方の余長処理部材１０の連結ロック状態を容易に解除することができる。
【００３６】
また、図２に示すように、摺動規制突起部１２５の第一突起部１２６の先端は、その下部が斜めに切り欠かれた下向きテーパ面を有している。その一方で、摺動規制突起部１２５の第二突起部１２７の先端は、その上部が斜めに切り欠かれた上向きテーパ面を有している。これにより、余長処理部材１０同士を、上から嵌め込み下に向かって摺動させて連結することも、下から嵌め込み上に向かって摺動させて連結することも可能となっている。
【００３７】
すなわち、摺動規制突起部１２５を備える側の余長処理部材１０を上から挿入して連結するとき、第一突起部１２６の下向きテーパ面が摺動規制孔部１２２の上端に当接し、摺動規制突起部１２５および摺動規制孔部１２２が互いに離間する方向に倒れ、第一突起部１２６が規制孔１２３に嵌る。
【００３８】
また逆に、摺動規制突起部１２５を備える側の余長処理部材１０を下から挿入して連結するときには、第二突起部１２７の上向きテーパ面が最初に摺動規制孔部１２２の下端に当接する。そして、第二突起部１２７が周方向内側に倒れた状態で摺動規制孔部１２２の壁面と摺動した後、規定の連結位置で規制溝１２４に係止する。
【００３９】
したがって、２つの余長処理部材１０を、上下どちらの方向から挿入して連結させた場合でも、わずかな力を加えるだけで容易に規定の連結位置にロックさせることができる。
【００４０】
また、本実施形態の連結ロック手段を構成する摺動規制孔部１２２および摺動規制突起部１２５は、それぞれ、第一連結部１０２および第二連結部１０３から離間して独立して設けられている。そのため、余長処理部材１０の連結および連結を解除する作業において、余長処理部材１０および連結後の光ファイバリール１全体の構造体に対し、余分な応力、歪および変形等を発生させず、何ら機械的な悪影響を与えるものでもない。
【００４１】
（段積み部の説明）
次に、余長処理部材１０の上面側構造を説明する。図１および図２において、一方の余長処理部材１０の天板部１１０の上面は、他の余長処理部材１０を段積みするための段積み部となっている。
【００４２】
すなわち、天板部１１０のガイド面１０１ａに相当する位置よりも中心軸側には、段積みされる他の余長処理部材１０の下係止部１３１（図３および図４参照）と係止可能な被係止部１１２が形成されている。被係止部１１２は、後述する下係止部１３１を挿通させる程度の孔径幅を有する貫通孔１１２ａと、下係止部１３１を貫通孔１１２ａから若干周方向に変位した位置で係止させる係止ポケット１１２ｂとを備えている。
【００４３】
また、天板部１１０には、係止ポケット１１２ｂの径方向延長上に並設される２つのロック孔１１３、１１３が形成されている。ロック孔１１３、１１３は、段積みされる他の余長処理部材１０下部のロック手段となる２つのロック突起１３３、１３３（図３および図４参照）と係止可能である。
【００４４】
これらの他に、天板部１１０の軸を囲むように円弧状のリブである位置決めガイド１１４が形成されている。また、天板部１１０には、光ファイバが収納される空間を貫く矩形状の貫通窓１１５が形成されている。
【００４５】
（マウントロック部の説明）
次に、余長処理部材１０の下面側構造を説明する。ここで、図３は、外周側下方から見た余長処理部材１０の斜視図である。また、図４は、周方向側下方から見た余長処理部材１０の斜視図である。
【００４６】
これらの図に示すように、余長処理部材１０の底板部１２０の下面は、光接続箱（図示略）等のベースプレートＢＰ上に搭載する際のマウントロック部となっている。マウントロック部はロック突起１３３、１３３および下係止部１３１を含む。下係止部１３１と、ロック突起１３３、１３３と、これらのロック状態を解除する操作部であるロック解除レバー１３２とは、扇状の底板部１２０の周方向中央位置で径方向に伸びる直線上に配置されている。
【００４７】
底板部１２０の下面において、円弧状胴部１０１の下部、つまりガイド面１０１ａの位置よりも内周側には、一定の幅を有して底板部１２０の下面に対し窪み、円弧状に湾曲する逃げ部１３４が形成されている。そして、下係止部１３１は、Ｕ字状の下面を有する槌状部１３１ａと、槌状部１３１ａから上方に伸びる柄部１３１ｂとを備えている。下係止部１３１は、槌状部１３１ａが底板部１２０の下面から突出しないように、底板部１２０の下面に対して窪む逃げ部１３４の略中央に形成されている。
なお、本実施形態では、下係止部１３１が逃げ部１３４の中に形成されることにより、槌状部１３１ａの下面と底板部１２０の下面とは、同一レベルの面上にある。ただし、槌状部１３１ａの下面が底板部１２０の下面から突出しないようにしてもよい。これにより、他の機器類との干渉を防ぐことができる。
【００４８】
ロック解除レバー１３２は、円弧状胴部１０１の下部位置を基端とし、扇状の底板部１２０の径方向に沿って外周側に伸びる片持ち梁（カンチレバー）として形成されている。つまり、ロック解除レバー１３２は、光ファイバを巻き付けるガイド面１０１ａの位置よりも外周側であって、光ファイバの収納空間に面する位置に形成されている。
【００４９】
ロック解除レバー１３２の下面には、下方に突出する２つのロック突起１３３、１３３が、径方向に並設されている。また、ロック解除レバー１３２の２つのロック突起１３３、１３３の間に、位置決め孔１３５が形成されている。
【００５０】
なお、図１に示したように、ロック解除レバー１３２の先端部は、光ファイバを保持する下ガイド部１２１であるとともに、当該余長処理部材１０のマウントロック状態を解除するための操作部も兼ねている。
【００５１】
底板部１２０の下面の軸側には、当該下面から下方に突出する四半円柱状の軸位置決め突起１３６が形成されている。また、軸位置決め突起１３６に隣接して、ねじ孔として利用可能な長穴１３７が形成されている。
【００５２】
（ベースプレートへの搭載方法の説明）
図６には、光接続箱等のベースプレートＢＰ上に、光ファイバリール１が搭載された状態が示される。すなわち、図６（ａ）は、光ファイバリール１およびベースプレートＢＰを上方から見た斜視図である。図６（ｂ）は、同じ光ファイバリール１およびベースプレートＢＰを下方から見た斜視図である。
【００５３】
ベースプレートＢＰには、光ファイバリール１および余長処理部材１０の搭載位置を定める軸孔５０１が設けられている。４個の余長処理部材１０がサークル状に連結してなる光ファイバリール１は、各余長処理部材１０の軸位置決め突起１３６が軸孔５０１に回動可能に挿入される。このように最初に軸位置決め突起１３６が軸孔５０１に挿入されることで、光ファイバリール１（余長処理部材１０）の所定搭載位置への位置決めが容易となる。
【００５４】
また、ベースプレートＢＰには、円形ドーム状に突出する被係止エンボス部５０２が、軸孔５０１を中心にして直交する四方にエンボス加工されている。また、各被係止エンボス部５０２の頂部および一方の側面部は開口部５０３となっている。また、軸孔５０１を中心に各被係止エンボス部５０２の延長線上には、ロック孔５０４、５０４が２個ずつ形成されている。
【００５５】
光ファイバリール１を構成する各余長処理部材１０の下係止部１３１（図３および図４参照）を各開口部５０３に挿入し、軸孔５０１を中心にして光ファイバリール１全体を時計回りに回転させると、被係止エンボス部５０２が逃げ部１３４に入り込み、各下係止部１３１の槌状部１３１ａが被係止エンボス部５０２内に嵌り込み係止する。被係止エンボス部５０２の突出を逃げ部１３４で覆うため各余長処理部材１０の底板部１２０がベースプレートＢＰより浮き上がることを防止するとともに、ベースプレートＢＰの裏面より下係止部１３１が突出しない構造のため、他の平面状のプレートに直接取り付けたりすることが可能である。それと同時に、各余長処理部材１０の下面側に設けたロック突起１３３、１３３がロック孔５０４、５０４に嵌合する。これにより、光ファイバリール１の回動が規制されるとともに、係止状態にある被係止エンボス部５０２と下係止部１３１とによって、光ファイバリール１がベースプレートＢＰから抜け止めされる。
【００５６】
光ファイバリール１をベースプレートＢＰから取り外す際には、先ず、各余長処理部材１０の外周部に設けられた下ガイド部１２１を操作して、ロック解除レバー１３２を少し持ち上げると、ロック突起１３３、１３３がロック孔５０４、５０４から外れ、光ファイバリール１が回動可能となる。この状態のまま、上述したロック状態の位置から光ファイバリール１を反時計回りに回転させることで、被係止エンボス部５０２と下係止部１３１の係止状態も解除される。これにより、光ファイバリール１をベースプレートＢＰから切り離すことができる。
【００５７】
このように本実施形態の光ファイバリール１によれば、各余長処理部材１０の軸位置決め突起１３６をベースプレートＢＰの軸孔５０１に挿入し回転させるだけで、ベースプレートＢＰの所定搭載位置に容易に設置することができる。
【００５８】
また、本実施形態では、ベースプレートＢＰの所定位置にエンボス加工した被係止エンボス部５０２と、光ファイバリール１の回動を規制する下係止部１３１との係止状態を解除するロック解除レバー１３２の操作部が、各余長処理部材１０の外周部に設けられた下ガイド部１２１となっている。そのため、各余長処理部材１０外周部の下ガイド部１２１を持ち上げるだけで、容易に光ファイバリール１の回動規制状態を解除することができる。したがって、従来よりも光ファイバリール１を取り外す操作性が向上する。
【００５９】
なお、光ファイバリール１のようなサークル状の態様でなく、単体または複数連結した余長処理部材１０であっても、上述と同様にしてベースプレートＢＰへの着脱を簡単な操作で容易に行うことができる。
【００６０】
（段積み方法の説明）
複数の余長処理部材１０の段積みも、上述したベースプレートＢＰへの設置と同様に容易に行うことができる。ここで、図７〜図１０は、何れも、上段に２個連結した余長処理部材１０と、下段に２個連結した余長処理部材１０の段積み状態を示す斜視図である。ここでは、図７〜図１０を参照して、２個連結した余長処理部材１０の段積み方法を説明するが、単体の余長処理部材１０およびサークル状に連結した光ファイバリール１も同様の方法で段積みできる。
【００６１】
上述したように、余長処理部材１０の上面には、円弧状の位置決めガイド１１４と、被係止部１１２と、被係止部１１２の径方向延長上に並設される２つのロック孔１１３、１１３とが形成されている（図１および図２参照）。余長処理部材１０は、その下面の下係止部１３１（図３および図４参照）が、下段側の余長処理部材１０の被係止部１１２の貫通孔１１２ａに挿入されて段積みされる（図７および図８参照）。
【００６２】
上段側の余長処理部材１０を、下段側の余長処理部材１０の位置決めガイド１１４を中心にして時計回りに回転させると、上段側の下係止部１３１の槌状部１３１ａが、下段側の被係止部１１２の係止ポケット１１２ｂに嵌り込み係止する（図９および図１０参照）。それと同時に、上段側の余長処理部材１０のロック突起１３３、１３３がロック孔１１３、１１３に嵌合する。これにより、余長処理部材１０同士の回動が規制されるとともに、係止状態にある上段側の下係止部１３１と下段側の被係止部１１２とによって、上下の余長処理部材１０同士が分離しないようにロックされる。
【００６３】
特に図１１に示されるように、本実施形態では、段積みしてロックされた余長処理部材１０、１０の連結境界線ＢＤ１、ＢＤ２が、上段側および下段側で異なる位置となるように構成されている。すなわち、図１および図２に示したように、余長処理部材１０の上面側のロック孔１１３、１１３は、扇状の天板部１１０の周方向中央位置から若干右回り方向にずれた径方向に伸びる直線上に配置されている。他方、余長処理部材１０の下面側のロック突起１３３、１３３は、図３および図４に示したように扇状の底板部１２０の周方向中央位で径方向に伸びる直線上に配置されている。したがって、上段のロック突起１３３、１３３が下段のロック孔１１３、１１３に嵌合するロック位置では、段積みされた上下の余長処理部材１０、１０の連結境界線ＢＤ１、ＢＤ２が互いに一定の角度差を有して変位することとなる。
【００６４】
段積みされた上下の余長処理部材１０、１０の連結境界線ＢＤ１、ＢＤ２を異なる位置となるようにしたことで、例えば、一方の段側の余長処理部材１０とに加えられた外力を、他方の段側で２つの余長処理部材１０に分散させる。このため、段積みされた余長処理部材１０（または光ファイバリール１）全体の柔軟構造を維持しながら機械的耐久性の向上を図ることができる。
【００６５】
なお、上下の余長処理部材１０を分離する際には、先ず、上段側の余長処理部材１０の外周部に設けられた下ガイド部１２１を操作して、ロック解除レバー１３２を少し持ち上げる。これにより、ロック突起１３３、１３３がロック孔１１３、１１３から外れ、この状態のまま上段側の余長処理部材１０を反時計回りに回転させることで、下係止部１３１と被係止部１１２との係止状態も解除される。このようにして、上下の余長処理部材１０、１０を簡単な操作で容易に分離することができる。
【符号の説明】
【００６６】
１０  余長処理部材
１０１  円弧状胴部                          １０１ａ  ガイド面
１０２  第１連結部（Ｌ字状被係合部）        １０３  第２連結部（Ｌ字状係合部）
１１０  天板部                              １１１  上ガイド部
１１２  被係止部                            １１３  ロック孔
１１４  位置決めガイド                      １２０  底板部
１２１  下ガイド部                          １２２  摺動規制孔部
１２３  規制孔                              １２４  規制溝
１２５  摺動規制突起部                      １２６  第一突起部
１２７  第二突起部                          １３１  下係止部
１３２  ロック解除レバー                    １３３  ロック突起
１３４  逃げ部                              １３５  位置決め孔
１３６  軸位置決め突起                      ＢＰ  ベースプレート
【図１】
0006587447.tif 000002
【図２】
0006587447.tif 000003
【図３】
0006587447.tif 000004
【図４】
0006587447.tif 000005
【図５】
0006587447.tif 000006
【図６】
0006587447.tif 000007
【図７】
0006587447.tif 000008
【図８】
0006587447.tif 000009
【図９】
0006587447.tif 000010
【図１０】
0006587447.tif 000011
【図１１】
0006587447.tif 000012